(57)【要約】【課題】  記憶型液晶表示装置に応力歪みが残らないように基板に記憶型液晶表示装置を貼り付けた電子機器を提供する。【解決手段】  電子部品３５を搭載した基板２５と、基板２５の電子部品３５を搭載した面の上方に並置され適宜箇所に貫通穴２９ｅが穿設された平板状の補強板２９と、補強板２９の電子部品３５側の面に貼り付けられた絶縁シート３６と、補強板２９の貫通穴２９ｅを通して露出する絶縁シート３６の表面に貼り付けられた第１両面テープ３７と、第１両面テープ３７の表面に貼り付けられた平板状の弾性部材３８と、弾性部材３８の表面に貼り付けられた第２両面テープ３９と、第２両面テープ３９の表面に貼り付けられた平板状の記憶型液晶表示装置２２とを備える。【選択図】  図２
2005233994.tif 000002
【特許請求の範囲】
【請求項１】
電子部品を搭載した基板と、前記基板の前記電子部品を搭載した面の上方に並置され適宜箇所に貫通穴が穿設された平板状の補強板と、前記補強板の前記電子部品側の面に貼り付けられた絶縁シートと、前記補強板の前記貫通穴を通して露出する前記絶縁シートの表面に貼り付けられた第１両面テープと、前記第１両面テープの表面に貼り付けられた平板状の弾性部材と、前記弾性部材の表面に貼り付けられた第２両面テープと、前記第２両面テープの表面に貼り付けられた平板状の記憶型液晶表示装置と、前記補強板に前記絶縁シート及び前記弾性部材を介して貼り付けられた前記記憶型液晶表示装置を内部に収納し前記記憶型液晶表示装置の表示面を外部に露出させた平板状の筐体とを備えることを特徴とする記憶型液晶表示装置を搭載した電子機器。
【請求項２】
前記第１両面テープと前記弾性部材と前記第２両面テープとは一体化された接着部材であることを特徴とする請求項１に記載の記憶型液晶表示装置を搭載した電子機器。
【請求項３】
前記弾性部材は軟質気泡体でなることを特徴とする請求項１または請求項２に記載の記憶型液晶表示装置を搭載した電子機器。
【請求項４】
前記電子機器は、電子書籍であることを特徴とする請求項１乃至請求項３のいずれかに記載の記憶型液晶表示装置を搭載した電子機器。
【請求項５】
前記電子書籍は、２枚の前記記憶型液晶表示装置を夫々収納した２つの前記筐体を折畳型に連結して構成されていることを特徴とする請求項４に記載の記憶型液晶表示装置を搭載した電子機器。
【発明の詳細な説明】
【技術分野】
【０００１】
本発明は、記憶型液晶表示装置を搭載した電子機器に係り、特に、記憶型液晶表示装置を補強板等の板材に両面テープで貼り付けて固定し筐体内に収納した電子機器に関する。
【背景技術】
【０００２】
液晶表示装置は、圧力が局所的に加わると、その部分の表示が周りに比べておかしくなったりするため、例えば下記特許文献１記載の様に、製造時に局所的な応力歪みが残らないようしている。この従来技術は、液晶表示装置の製造時に関わる技術であるが、液晶表示装置を電子機器内に取り付ける場合にも応力歪みが液晶表示装置に残らないようにする必要がある。
【０００３】
液晶表示装置を例えばノートパソコンの表示画面として筐体内に取り付ける場合、近年では、ネジ止めによって取り付ける代わりに、例えば下記特許文献２、３に記載されている様に、両面テープを利用して貼り付けるのが主流になってきている。
【０００４】
両面テープで液晶表示装置を補強板等に貼り付ける作業を行う場合、作業者は、両面テープの表面に貼り付けられている剥離紙を剥がして粘着面を出し、この粘着面に液晶表示装置を貼り付ける。この剥離紙を剥がす作業を行うとき、作業者は、指の爪先で両面テープの角部を引っ掻き、剥離紙を剥がすことになる。
【０００５】
しかし、この作業がうまくいかないと、図４に示す様に、補強板１０１の上に貼られている両面テープ１０２の角部から剥離紙１０３が剥がされたとき、両面テープ１０２の角部が粘着面で折り返されてしまい、その折返部１０４の厚さが他より厚くなってしまう。この両面テープ１０２の上に平板状の液晶表示装置を貼り付けると、折返部１０４の上の部分に応力歪みが残ってしまう。
【０００６】
液晶表示装置には記憶型と呼ばれるものがあり、この記憶型液晶表示装置は、表示データの書き換え時のみ電力が供給され、それ以外のときは、電力供給無しに、表示データがそのまま表示された状態で残る。記憶型液晶の或る一点を指先で押す（圧力が加わる）と、その部分は電力が供給された状態と同じになり、その表示が保持された状態となる（この状態を白化現象と呼ぶ）。この白化現象は、表示データの書き換えを行うと消えてしまうため問題はないが、記憶型液晶表示装置を補強板等に両面テープで貼り付けるときに上記の折返部１０４が発生して応力歪みが記憶型液晶表示装置に残ると、その部分が常に周りより白っぽくなり、データの書き換えを行っても白化状態が残ってしまい、その製品の品質を劣化させてしまう。
【０００７】
【特許文献１】特開平１１―１６０７１９号公報
【特許文献２】特開２０００―３３００９６号公報
【特許文献３】特開２００３―２６２８４９号公報
【発明の開示】
【発明が解決しようとする課題】
【０００８】
しかしながら、両面テープの角部に折返部が生じないように慎重に両面テープの表面から剥離紙を剥がす作業を行えば、両面テープに貼り付けられた記憶型液晶表示装置に応力歪みは残らないが、そのために作業時間が長くなり、製品の製造効率を劣化させコスト上昇を招いてしまうという別の問題が生じる。
【０００９】
本発明の目的は、記憶型液晶表示装置を両面テープで貼り付ける作業を迅速に行うことができ、しかも、応力歪みが記憶型液晶表示装置に残らないようにした電子機器を提供することにある。
【課題を解決するための手段】
【００１０】
本発明の記憶型液晶表示装置を搭載した電子機器は、電子部品を搭載した基板と、前記基板の前記電子部品を搭載した面の上方に並置され適宜箇所に貫通穴が穿設された平板状の補強板と、前記補強板の前記電子部品側の面に貼り付けられた絶縁シートと、前記補強板の前記貫通穴を通して露出する前記絶縁シートの表面に貼り付けられた第１両面テープと、前記第１両面テープの表面に貼り付けられた平板状の弾性部材と、前記弾性部材の表面に貼り付けられた第２両面テープと、前記第２両面テープの表面に貼り付けられた平板状の記憶型液晶表示装置と、前記補強板に前記絶縁シート及び弾性部材を介して貼り付けられた前記記憶型液晶表示装置を内部に収納し前記記憶型液晶表示装置の表示面を外部に露出させた平板状の筐体とを備えることを特徴とする。
【００１１】
この構成により、両面テープに折返部が生じても弾性部材によって折返部の厚さが吸収され、記憶型液晶表示装置に応力歪みが残留することはない。このため、剥離紙の剥離作業を迅速且つ容易に行うことが可能となる。
【００１２】
本発明の記憶型液晶表示装置を搭載した電子機器では、前記第１両面テープと前記弾性部材と前記第２両面テープとは一体化された接着部材であることを特徴とする。
【００１３】
この構成により、貼り付け作業の迅速化を図ることができる。
【００１４】
本発明の記憶型液晶表示装置を搭載した電子機器では、前記弾性部材は軟質気泡体でなることを特徴とする。
【００１５】
この構成により、応力歪みを軟質気泡体でほぼ完全に吸収することが可能となる。
【００１６】
本発明の記憶型液晶表示装置を搭載した電子機器は、電子書籍であることを特徴とする。
【００１７】
この構成により、電子書籍の画面に表示されているデータの品質劣化が少ないため、高品質な電子書籍を安価に提供可能となる。
【００１８】
本発明の記憶型液晶表示装置を搭載した前記電子書籍は、２枚の前記記憶型液晶表示装置を夫々収納した２つの前記筐体を折畳型に連結して構成されていることを特徴とする。
【００１９】
この構成により、２画面で大量のデータを表示できると共に、不使用時に折り畳むことで画面保護を図ることが可能となる。
【発明の効果】
【００２０】
本発明によれば、記憶型液晶表示装置に応力歪みが残らない様に、迅速に、記憶型液晶表示装置を両面テープで貼り付けることができるので、高品質の電子機器を安価に提供することができる。
【発明を実施するための最良の形態】
【００２１】
以下、本発明の一実施形態について、図面を参照して説明する。
【００２２】
図１は、本発明の一実施形態に係る記憶型液晶表示装置を搭載した電子機器の一例である折畳型の電子書籍を１８０°開いた状態を示す斜視図である。この電子書籍１は、右側本体部２と左側本体部３とをヒンジ部４で開閉自在に連結して構成される。右側本体部２と左側本体部３とには夫々平板状の記憶型液晶表示装置５、６が取り付けられており、右側本体部２の下辺部には、４つの操作ボタン７、８、９、１０が設けられ、左側本体部３の左下隅には１つの操作ボタン１１が設けられている。
【００２３】
図示しないメモリカードが装着された図１の電子書籍１は、このメモリカードから文章データを読み出し、ユーザが操作ボタン７〜１１で指定した書式で２つの記憶型液晶表示装置５、６に表示し、ページ更新操作が入力されたとき、次の２頁分のデータをメモリカードから読み出し、記憶型液晶表示装置５、６に表示する。
【００２４】
図２は、左側本体部３の分解図であり、記憶型液晶表示装置６の取り付け構造を示す図である。右側本体部２に記憶型液晶表示装置５を取り付ける構造も同様である。
【００２５】
左側本体部３は、内部が空洞の平板状の樹脂製筐体２０を備え、樹脂製筐体２０の前面の広い面積に記憶型液晶表示装置６の表示画面を露出する窓２１が形成されている。
【００２６】
記憶型液晶表示装置６は、前面にガラス板が設けられた平板状の液晶本体部２２と、液晶本体部２２の左辺に可撓性フラットケーブル２３で接続され表示制御信号を出力する第１基板２５と、液晶本体部２２の下辺に可撓性フラットケーブル２４で接続され表示制御信号を出力する第２基板２６とを備える。矩形の液晶本体部２２は、樹脂製筐体２０の窓２１より若干大きめに形成されており、前面周囲には、厚さ０．５ｍｍ、幅１ｍｍのシリコンゴムなどの弾性体２７が貼り付けられている。
【００２７】
液晶本体部２２を平板状に規制する補強板２９は、本実施形態では、厚さ０．５ｍｍ程度のアルミ板を使用する。補強板２９には、図示する例では、計８個の円形の貫通穴２９ａ、２９ｂ、２９ｃ、２９ｄ、２９ｅ、２９ｆ、２９ｇ、２９ｈが穿設されている。
【００２８】
これらの貫通穴２９ａ〜２９ｈは、補強板２９の軽量化すなわち電子書籍１の軽量化を図るために設けられるが、本実施形態では、軽量化のために設けたこれら貫通穴を利用して、液晶本体部２２を、以下に述べる様に、補強板２９に支持させる。この補強板２９は、液晶本体部２２の裏面側に並置され、第１基板２５と第２基板２６とは、夫々可撓性フラットケーブル２３、２４によって補強板２９の裏側に折り返えされる。
【００２９】
図３は、組み立てられた電子書籍のうち樹脂製筐体２０部分を除いた要部断面図である。第１基板２５の補強板２９に対向する面には多数の電子部品３５が実装されているので、この電子部品の実装面を導体の補強板２９から電気絶縁するために、補強板２９の裏面（基板２５に対向する面）全面に絶縁シート３６が貼り付けられている。
【００３０】
そして、補強板２９の貫通穴２９ａ、２９ｂ、２９ｃ、２９ｅ、２９ｆ、２９ｈによって露出する絶縁シート３６の表面（液晶本体部２２が対向する面）に、両面テープ３７を貼り付け、更にその上に、平板状のスポンジ３８を貼り付け、更にスポンジ３８の表面に両面テープ３９を貼り付ける。この状態で、両面テープ３９の表面は、補強板２９の表面に対して０．３ｍｍ程度突出する。
【００３１】
次に、液晶本体部２２を両面テープ３９に貼り付け、可撓性フラットケーブル２３の部分で第１基板２５を補強板２９の裏側に折返し、第２基板２６を可撓性フラットケーブル２４の箇所で補強板２９の裏側に折り返す。
【００３２】
この様にして補強板２９に一体化されユニット化された記憶型液晶表示装置６は、樹脂製筐体２０内に挿入され、補強板２９の四隅に設けられたネジ穴３１と、第１基板２５、第２基板２６の隅に設けられたネジ穴３２に図示しない雄ネジを通して樹脂製筐体２０の四隅に設けられたネジ穴３３に共締めすることで、樹脂製筐体２０内に固定される。
【００３３】
本実施形態に係る電子書籍では、両面テープ３７、３９から剥離紙を剥がす作業で粘着層の折返部が生じその部分が厚くなっても、スポンジ３８が凹むため液晶本体部２２に応力歪みを与えることがない。しかも、補強板２９に設けた貫通穴の部分にスポンジ３８を収納する構成のため、スポンジ３８の厚さを確保できる。
【００３４】
更に、本実施形態では、液晶本体部２２を補強板２９に直接貼り付けてはいないが、液晶本体部２２を補強板２９を近接させているので、液晶本体部２２に外力が加わったとしても、平板状の補強板２９に接した液晶本体部２２の平面性は維持される。
【００３５】
尚、上述した実施形態では、両面テープ３７の上にスポンジ３８を貼り付け、スポンジ３８の上に両面テープ３９を貼り付ける構成としたが、スポンジ３８の両面に粘着層を形成した接着部材、即ち、両面テープ３７、３９とスポンジ３８とを一体化した接着部材を用いてもよいことはいうまでもない。
【００３６】
また、上述した実施形態では、軟質の気泡体であるスポンジを用いているが、他の弾性部材であっても、応力が局所的に加わったときその応力を弾性部材内で吸収することができる弾性部材であれば、実施形態のスポンジと同様に使用可能である。
【産業上の利用可能性】
【００３７】
本発明の弾性部材を用いた両面テープによる液晶表示装置の固定構造は液晶表示装置に応力歪みを残さないため、記憶型液晶表示装置を搭載する電子書籍等の電子機器の高品質化，低コスト化に有用である。
【図面の簡単な説明】
【００３８】
【図１】本発明の一実施形態に係る電子書籍を１８０°開いた状態の斜視図
【図２】本発明の一実施形態に係る電子書籍の左側本体部の分解図
【図３】本発明の一実施形態に係る記憶型液晶表示装置を基板と一体化させたものの要部断面図
【図４】従来の両面テープによる不具合説明図
【符号の説明】
【００３９】
１  電子書籍
３  左側本体部
５、６  記憶型液晶表示装置
２０  樹脂製筐体
２１  窓
２２  液晶本体部
２３、２４  可撓性フラットケーブル
２５、２６  基板
２７  弾性体（シリコンゴム）
２９  補強板
２９ａ〜２９ｈ  貫通穴
３５  電子部品
３６  絶縁シート
３７、３９  両面テープ
３８  スポンジ（弾性部材）
【図１】
2005233994.tif 000003
【図２】
2005233994.tif 000004
【図３】
2005233994.tif 000005
【図４】
2005233994.tif 000006